(57)【要約】【課題】表示部を両面に備えた構成のものであって、筐体の薄型及び小型化を図ることができる携帯端末装置を低コストで提供する。【解決手段】液晶表示器２３を用いて筐体の表裏両面に設けた複数の表示部（表示面）２Ａ、２Ｂに情報を表示させる携帯端末機器であって、単一の液晶表示器２３に反射シート２４を移動可能に設けるとともに、反射シート２４の一部に表示部（表示面）２Ａ、２Ｂを形成するための窓部２４Ａを設け、この窓部２４Ａを介した液晶表示器２４の両面（液晶表示部）で表示画像を表示するように構成した。【選択図】　図２
2004021105.tif 000002
【特許請求の範囲】
【請求項１】
液晶表示器を用いて筐体の表裏両面に設けた複数の表示面に各種画像情報を表示させる携帯端末機器であって、
前記単一の液晶表示器にシート状の反射手段を移動可能に設けるとともに、
前記反射手段の一部に液晶表示部を形成するための窓部を設け、
この窓部を介した前記液晶表示器の両面の液晶表示部で液晶画像を表示するように構成したことを特徴とした携帯端末機器。
【請求項２】
前記筐体は開閉式の筐体で構成されていると共に、
前記反射手段は前記筐体の開閉動作に連動して移動する移動手段を備えたことを特徴とする請求項１に記載の携帯端末機器。
【請求項３】
前記筐体の開閉を検知する開閉検知手段を備えたことを特徴とする請求項２に記載の携帯端末機器。
【請求項４】
前記反射手段は、反射シートに光を散乱させるための凹凸を設けた構成であることを特徴とする請求項１乃至３のいずれか１項に記載の携帯端末機器。
【請求項５】
請求項１乃至４のいずれか１項に記載の携帯端末機器の筐体又は開閉式筐体を連結するヒンジ部の一部にカメラを備え、
操作者自身を撮影する場合には、前記筐体の操作者と対面する方の面の液晶表示部で前記操作者自身の姿を表示するように構成したことを特徴とするカメラ付き携帯端末機器。
【請求項６】
請求項１乃至４のいずれか１項に記載の携帯端末機器の筐体又は開閉式筐体に設けたカメラ撮影用の孔を開閉自在に閉鎖するスライド蓋を備え、
このスライド孔を開放するスライド蓋のスライド動作に連動して前記シート状の反射手段を移動するように構成したことを特徴とする請求項５に記載のカメラ付き携帯端末機器。
【発明の詳細な説明】
【０００１】
【産業上の利用分野】
本発明は、携帯電話機、ＰＨＳ、ＰＤＡ、ポケットベルなどの携帯端末機器に係り、特にこの携帯端末機器に用いられる文字や記号等を表示する液晶表示器において両面に存在する表示部の表示面を照光させることができる携帯端末機器及びカメラ付き携帯端末機器に関する。
【０００２】
【従来の技術】
近年、携帯電話機等の携帯端末機器は目覚しい伸びで普及し続けており、その用途は単に通話だけにとどまらず、文字情報なども入手したいという要求も高まっている。
そこで、この携帯端末機器にあっては、文字情報を１度に多く表示できるように表示面が大きくなる傾向にある。そのため、携帯端末機器も棒状タイプだけではなく、大きな面積を確保し易いように、表示部とキー入力部とを互いに分離・独立した２つの筐体にそれぞれ別々に設けた折畳式の携帯端末機器の需要が伸びてきている。
【０００３】
さらに、この折畳式の携帯端末機器においては、筐体を開放することなく折畳んだ状態のままで、着信時の履歴などだけを確認したい、という要望もあり、従来の情報を読み取るためのメインの表示部（以下、メイン表示部とよぶ）と、着信履歴のみを表示するためのサブ的要素を持った表示部（以下、サブ表示部とよぶ）との都合２面を、本体の両面に独立別個に備えた携帯端末機器が開発されてきている。
この構造について、以下に簡単に説明する。
【０００４】
図４には、一般的な構成の折畳式携帯端末機を示している。
この携帯端末機では、同図（Ａ）に示すように、通話時や情報を確認する際には、メイン表示部（メイン表示面）１０１に表示される液晶画像を視認できるようにするため、筐体１００を構成する上側筐体１００Ａ及び下側筐体１００Ｂが開いた状態で使用される。また、通常、通話・通信の待ち受け時には、同図（Ｂ）に示すように、筐体１００を閉じた状態でポケットなどに納められていることが多く、着信履歴のみを確認する場合には、この筐体を開いた状態のままサブ表示部（サブ表示面）１０２を確認すればよい構造となっている。
【０００５】
【発明が解決しようとする課題】
ところで、このような構成の携帯端末機にあっては、通常、表示部を液晶表示器による液晶画像によって表示させようとすると、片面に反射シートやバックライトを設ける片面表示となっており、両面に表示部を設けようとするには、どうしても複数個の液晶表示器が必要になっている。従って、このような構成によれば、着信履歴の確認のためだけに、メインの液晶表示器と同様な構造のサブの液晶表示器をメインの液晶表示部の基板を挟んだ反対面に設置する必要があり、携帯端末機器の小型化、特に薄型化や軽量化を図ることが難しかった。
【０００６】
さらに、近年、撮影画像を通話相手に送信することができるようにするため、図４に示すように、カメラ２１０を備えたカメラ付き携帯電話機が提案され開発されている。このカメラ及びメイン表示部とサブ表示部を備えた上側筐体の内部構造について、図５を参照しながら説明する。
この上側筐体１００Ａは、概略構成として、外側ケース２０１と、メイン液晶表示器２０２と、導光板２０３を備えた液晶ホルダ２０４と、基板２０５と、サブの液晶表示器２０６と、サブ液晶ホルダ２０７と、内側ケース２０８と、表示部（表示面）２０９と、カメラ２１０などとを備えている。
【０００７】
ところで、通常、上側筐体１００Ａの内面にメイン液晶表示器２０２の大きな面積を占有するメイン表示部１０１を設置している一方、そのメイン表示部１０１よりも小さな面積のサブ表示部１０２を設けている上側筐体の外側ケース２０１は内側ケース２０８よりも大きな空き面積を有している。
従って、このカメラ２１０については、上側筐体１００Ａの外側ケース２０１にカメラ撮影用の孔２０１Ａを設けるとともに、この孔２０１Ａにレンズが臨む状態でカメラ２１０を配置し、この外側ケース２０１の方向から撮影する構成のものが多い。
【０００８】
このような事情から、このカメラ付き携帯電話機で操作者自身などを撮影しようとする場合には、通常、例えばこの上側筐体の外側ケース２０１の撮影用の孔２０１Ａ近傍に凸状で鏡面状の反射板などを設けることにより、そのカメラでの撮影中に、この反射板に自分の姿を写すことにより、自分自身の撮影状態や撮影範囲を目視で直接確認できるようになっている。
【０００９】
このように、操作者自身などをこの備え付けのカメラで撮影するような場合には、通常、カメラの撮影窓の近傍に設けた反射板を利用して撮影状態や撮影範囲などの確認を行っていることが多いが、一般に、この反射板は大きさが小さく、しかも凸状を呈しているために、確認しようとする反射像に歪みを発生している。従って、そのカメラでの撮影状態や撮影範囲（画角）を目視で確認し難く、正確な撮影状況を確認するのが難しい。
【００１０】
そこで、被写体である操作者の姿をサブ表示部に液晶画像で表示させることが考えられるが、通常、このサブ表示部自体は細長い形状であるので、撮影範囲の全景を表示し難い。また仮に、この細長い表示部に全景を表示しようとすれば、サブ表示部の長手方向のみが大きく拡大されてしまい、画像が荒くなるので、撮影状態や撮影範囲を却って確認し難くなることが予想される。また、サブ表示部の大きさを大きくすることも考えられるが、製造コストが高くなり、筐体の大きさも大型化を伴いやすい。
【００１１】
このような事情から、例えば特開平５−１５０２３３号公報に記載のように、液晶表示器の本体の裏面に配設（貼付）されている反射シートを可動式にする構成のものが提案されている。
しかしながら、このような構成のものでは、反射シートが１本のローラを経由しているために、反射シートの腰が弱くなりやすい。また、一方で、反射シートが導光板の先端までを覆う必要があるが、このような構成では、反射シートに十分な強度がないために、スムースに導光板の裏面を移動することが困難である。しかも、導光板との間隙を一定に保つことが困難であり、液晶表示部に明るさのむらを発生するという問題を生じている。
【００１２】
この発明は、上記した事情に鑑み、表示部を両面に備えた構成のものであって、筐体の薄型及び小型化を図ることができる携帯端末装置を低コストで提供することを目的とする。
また、この発明は、反射板や、撮影状態確認のみに専用の表示部を必要とせずに、操作者が自分を被写体として撮影してもその撮影状態や撮影範囲を確認することができるカメラ付き携帯端末機器を低コストで提供することを目的とするものである。
【００１３】
【課題を解決するための手段】
本発明の携帯端末機器は、液晶表示器を用いて筐体の表裏両面に設けた複数の表示面に各種画像情報を表示させる携帯端末機器であって、
前記単一の液晶表示器にシート状の反射手段を移動可能に設けるとともに、
前記反射手段の一部に液晶表示部を形成するための窓部を設け、
この窓部を介した前記液晶表示器の両面の液晶表示部で液晶画像を表示するように構成したことを特徴としている。
【００１４】
この構成によって、表示部を両面に備えた構成のものであって、筐体の薄型及び小型化を図ることができる携帯端末機器を低コストで提供することが可能になる。
【００１５】
また、この発明の携帯端末機器は、前記筐体が開閉式のもの筐体で構成されていると共に、
前記反射手段は前記筐体の開閉動作に連動して移動する移動手段を備えた構成としてもよい。
【００１６】
これにより、液晶表示器の両面での表示を簡単に切替えることができる。
【００１７】
また、この発明の携帯端末機器は、前記筐体の開閉を検知する開閉検知手段を備えた構成としてもよい。
【００１８】
これにより、開閉式の携帯端末機器において、開閉動作に応じて表示部での表示画面を切替えて表示することが可能になり、例えば、筐体を折り畳んだ場合には、筐体外面に設けたサブ表示部で表示するとともに、筐体を開いた場合には、筐体内面に設けたメイン表示部で表示することが可能になる。
【００１９】
また、この発明の携帯端末機器は、前記反射手段は、反射シートに光を散乱させるための凹凸を設けた構成とすることができる。
【００２０】
これにより、簡単な構成のもので、均一な明るさの液晶表示が実現可能になる。
【００２１】
また、この発明のカメラ付き携帯端末機器は、前記請求項１又は２に記載の携帯端末機器の筐体又は開閉式筐体を連結するヒンジ部の一部にカメラを備え、
操作者自身を撮影する場合には、前記筐体の操作者と対面する方の面の液晶表示部で前記操作者自身の姿を表示するように構成してもよい。
【００２２】
これにより、反射板や、撮影状態確認のみに専用の表示部を必要とせずに、操作者が自分を被写体として撮影してもその撮影状態や撮影範囲を確認することができるカメラ付き携帯端末機器を低コストで提供することができる。
【００２３】
また、この発明のカメラ付き携帯端末機器は、前記請求項１又は２に記載の携帯端末機器の筐体又は開閉式筐体に設けたカメラ撮影用の孔を開閉自在に閉鎖するスライド蓋を備え、
このスライド孔を開放するスライド蓋のスライド動作に連動して前記シート状の反射手段を移動するように構成してもよい。
【００２４】
これにより、カメラでの撮影の場合には、必ずスライド蓋が開くのと連動してカメラの近傍にある表示部で画像の表示を行う構成とすることができる。
従って、操作者が自分自身を被写体として撮影する際には、誰でも簡単な操作により、自分自身の撮影状態や撮影範囲をそのカメラの近傍にある表示部の方に表示させ、この表示部に表示された液晶画像を目視で簡単に、しかも確実に確認することができる。
【００２５】
【発明の実施の形態】
以下、本発明の実施例について、添付図面を参照しながら説明する。
図１は、この発明の第１の実施の形態に係るカメラ４を備えた開閉式携帯電話機の上側筐体１の要部を示すものであり、この（カメラ付き）開閉式携帯電話機は、液晶表示器２を備えた上側筐体１の内側ケース１Ａ（内面）側にメイン表示部（メイン表示面）２Ａを、外側ケース１Ｂ（外面）側にサブ表示部（サブ表示面）２Ｂをそれぞれ備えている。
【００２６】
また、この発明では、液晶表示器２を単一のもので構成しているが、メイン及びサブのいずれの表示面にも文字や図形などの各種情報を切替えて表示することができるようにするため液晶表示切替手段３を備えているとともに、サブ表示部（サブ表示面）２Ｂにはカメラ４により撮影するときの被写体画像を液晶表示できるようにするため液晶表示切替手段３の動作を制御する制御部（図略）を備えている。
【００２７】
さらに、この開閉式携帯電話機は、カメラ４を外側ケース１Ｂ（外面）側に向けて設置しており、スライド蓋１１を開くとカメラ４のレンズ（図略）が外部に開放されて撮影が可能になるように構成されているとともに、サブ表示部（サブ表示面）２Ｂにはその撮影しようとする被写体画像が確認・表示されるようになっている。
【００２８】
液晶表示器２は、概略構成として、液晶表示用の照明光を発光するための光源である発光素子２１と、この発光素子２１からの照明光を導光させて面発光させる断面略コ字形の導光板２２と、この導光板２２からの光を入射する液晶本体部２３と、図示外の拡散シートと、シート状の反射手段である反射シート２４などとを液晶ホルダ２０に備えており、基板２５上に設けた図示外の前述の制御部により、この液晶本体部２３を駆動・制御するようになっている。
【００２９】
導光板２２は、光源である発光素子２１からの照明光が投光・照光されるようになっている。このため、この実施の形態の導光板２２の外面の一部には、光源である発光素子２１からの照明光を効率よく取込むための入光部２２Ａ（図１参照）が形成されている。一方、この導光板２２の内側には、液晶本体部２３が挿入・配設されている。
【００３０】
液晶本体部２３には、公知の構成のものが用いられており、具体的には、いずれも図示しないが、一対の偏光子と、この偏光子の間に配設する一対の透明電極と、この一対の透明電極の間に配設する液晶などとで構成されている。
【００３１】
拡散シートは、ここに入射する光を拡散させて均一に表示面を照明させるものであり、図３に示すように、液晶本体部２３の外面で、かつ、導光板２２の内面側に配設されている。
【００３２】
反射シート２４は、発光素子２１から導光した導光板２２内の照明光を導光板２２の内側に設置してある液晶本体部２３へ投光・出射させるために、その照明光が導光板２２から外部に漏れ出すのを防止するものであり、反射率の高い適宜のシート状の材料で形成されている。そして、この反射シート２４には、その一部に液晶表示部を形成するための表示窓部２４Ａを設けており、液晶表示器の両面の液晶本体部２３で表示される画像をこの表示窓部２４Ａを介して外部から観察するように構成されている。
【００３３】
液晶表示切替手段３は、図２に示すように、筐体内部において一定間隔を保持して回転可能な状態で設置された一対のローラ３１、３２と、これらのローラ３１、３２間に張設されたエンドレスの前述する反射シート２４と、この反射シート２４の一部において液晶本体部２３に対して適宜の大きさ、この実施形態では液晶本体部２３の表面に相当する（若しくはこれより若干小さい）大きさに開口され、メイン及びサブの液晶表示部２Ａ及び２Ｂとして外部に画像情報を送り出す時の窓口となる表示窓部２４Ａとを備えている。
【００３４】
一方のローラ３１には、従動ギア３１Ａが形成されており、この従動ギア３１Ａは駆動ギア３３に噛合する構成となっている。この駆動ギア３３は、スライド蓋１１の開放の際の移動動作に連動して、換言すれば、このスライド蓋の直線動作を駆動源として回転するようになっており、このため駆動ギア３３はスライド蓋１１の内面に刻設した図示外のラックとも噛合するようになっている。
【００３５】
一方、他方のローラ３２は、回転フリーの状態で設けられており、ローラ３１の回転動作が反射シート２４を介して伝達されて従動回転するように構成されている。
【００３６】
次に、この実施の形態に係る携帯電話機の液晶表示器２及び液晶表示切替手段３の動作について、図１〜図４を参照しながら説明する。
Ａ．通常の使用（文字情報を入手など）の場合：
（１）まず、携帯電話機の使用者が、通常、通話及び文字情報を入手するためには、例えば、図３に示す状態から図１に示す状態のように、上ケース１に備えられたスライド蓋１１を開いた状態から閉じた状態にする。
（２）すると、この液晶表示器２の裏面側に存在するスライド蓋１１を閉じる動作で、スライド蓋１１のラックに噛合する駆動ギア３３が回転する。
（３）その結果、この駆動ギア３３に同時に噛合する従動ギア３１Ａとこれを一体に設けたローラ３１とが回転する。
（４）これにより、このローラ３１及びローラ３２の間に張設された反射シート２４が可動するので、図２（Ａ）に示すように、この反射シート２４の表示窓部２４Ａがメイン表示部２Ａの表示面に進出してきてこれに対応するように配置される。
（５）従って、従来の携帯端末機器を使用する場合と同じように、即ち、例えば携帯電話機の使用者が、通常、通話及び文字情報を入手する時のような状態が簡単に設定できる。
【００３７】
なお、この場合、閉じているスライド蓋１１が液晶表示器２のカメラ４前面のレンズ側が臨む開口部１２も覆って隠しているので、カメラ４の存在が外部からは見えない。このため、通常の通話及び文字情報を入手する際に、周囲の見知らぬ者がカメラ４で撮影されている（或いは盗撮されている）等といった不安感や不快感、或いは誤解を抱くことを防止することもできる。
【００３８】
Ｂ．自分を撮影する場合：
（１）一方、携帯端末機器の保持者がカメラで自分を撮影しようとする場合には、図１の状態から図３のようにスライド蓋１１を開くことにより、これと連動して駆動ギア３３及びこれに噛合する従動ギア３１Ａが回転する。
（２）その結果、ローラ３１，３２が図３の矢印方向に回転し、反射シート１１が移動する。これにより、反射シート２４の表示窓部２４Ａがカメラ側の撮影孔を構成する開口部１２の近くに設けたサブ表示部２Ｂに対応する位置まで動いていく。
なお、このとき液晶表示器２のメイン表示部２Ａに対応する部分には、反射シート２４の表示窓部２４Ａが配置しておらず、完全に反射シート２４で遮蔽された状態となっているので、このメイン表示部２Ａには画像情報が表示されることがなく、反射シート２４が覗いて見えるだけである。
（３）これにより、撮影者は、反射シート２４の表示窓部２４Ａから確認できるサブ表示部２Ｂに、カメラ４を介して撮影する自分の姿を映し出すことができる。
【００３９】
従って、この実施の形態によれば、カメラ４を搭載した携帯端末機器において、１枚の液晶表示器２で、表示部（表示面）を上側筐体１の内側ケース１Ａと外側ケース１Ｂの両面（両側）に（２方向で）表示することができ、延いては上側筐体１が薄型でしかも安価にて表裏２面での画像表示を行うことができる携帯端末機器を提供することができる。
【００４０】
なお、この実施の形態では、反射シート２４の他に拡散シートを設けたが、反射シート２４の導光板２２に対向する内面側に光を拡散させるための凹凸を設けてもよいし、印刷により光の拡散を行うように構成してもよく、同じ効果が得られる。
【００４１】
また、この発明によれば、当然、表示窓部２４Ａを設けた反射シート２４の移動動作に関しては、必ずしもスライド蓋１１などと連動させる必要はなく、例えば、携帯端末機器の本体に設けたスイッチ等で液晶表示切替手段３の反射シート２４を電動或いは手動にて可動することができれば、本実施の形態と同じ効果をもたせることができる。
【００４２】
また、この実施形態では、カメラ４の作動の際にスライド蓋１１を開放させる構成としたが、このスライド蓋１１は必ずしも必須のものではなく、カメラ４の撮影レンズが常時露出している（但し、カバーレンズなどを設けることが好ましい）構成であってもよい。
また、この実施の形態では、カメラ付きの開閉式の携帯電話機について説明してきたが、必ずしもカメラを備えたものには限らない。
【００４３】
即ち、この発明では、例えば開閉式の携帯電話機において、筐体の開閉動作を検出する検出手段を備え、この検出手段により筐体の開放動作を検出した場合に、液晶表示切替手段３の反射シート２４を作動してメイン表示部２Ａの方での液晶表示を自動的に行うように構成してもよい。
更に、この実施の形態では、開閉式の携帯電話機について説明してきたが、勿論これに限定されるものではなく、棒状式の携帯電話機などであってもよい。
【００４４】
【発明・考案の効果】
以上のように本発明は、カメラを搭載した携帯端末機器において、単一の液晶表示器で、画像表示することができる表示部（表示面）を筐体の表裏両面に、つまり２方向に表示することができるようになるので、操作者が自分を被写体として撮影するときに、従来の反射板や撮影状態確認用の専用の表示部などを別に設置しなくても、一方の表示部により液晶画像として表示することで、確実に、かつ、容易に、その撮影状態や撮影範囲などを確認することができるようになる。
【００４５】
しかも、本発明により、簡易な構成で筐体の両側での両面表示を実現させることができるようになるので、携帯端末機器を薄型で、かつ、安価に提供することが可能になる。
【図面の簡単な説明】
【図１】本発明の実施の形態に係る携帯電話機の上側筐体を示すものであって、スライド蓋を閉じたときの断面図である。
【図２】本発明の実施の形態に係る携帯電話器に備えた液晶表示器及び表示切替手段の概略構成を示すものであって、（Ａ）はメイン表示部で表示するときの状態を示す斜視図、（Ｂ）はサブ表示部で表示するときの状態を示す斜視図である。
【図３】本発明の実施の形態に係る携帯電話機の上側筐体を示すものであって、スライド蓋を開いたときの断面図である。
【図４】表示部を両面に備えた従来のカメラ付き携帯電話機を示すものであって、（Ａ）は筐体を閉じた状態を示す斜視図、（Ｂ）は筐体を閉じた状態を示す斜視図である。
【図５】従来の表示部を両面に備えたカメラ付き携帯電話機の上側筐体の分解斜視図である。
【符号の説明】
１　　　　上筐体
１Ａ　　　内側ケース
１Ｂ　　　外側ケース
１１　　　スライド蓋
１１Ａ　　ラック
１２　　　カメラ撮影用の開口部（孔）
２　　　　液晶表示器
２Ａ　　　メイン表示部（メイン表示面）
２Ｂ　　　サブ表示部（サブ表示面）
２０　　　液晶ホルダ
２１　　　発光素子
２２　　　導光板
２３　　　液晶本体部
２４　　　反射シート
２４Ａ　　表示窓部
３　　　　液晶表示切替手段
３１　　　ローラ
３１Ａ　　従動ギア
３２　　　ローラ
３３　　　駆動ギア
４　　　　カメラ
【図１】
2004021105.tif 000003
【図２】
2004021105.tif 000004
【図３】
2004021105.tif 000005
【図４】
2004021105.tif 000006
【図５】
2004021105.tif 000007